(57)【要約】【課題】組立工程における作業効率を向上することが可能で、かつ、回転時のがたつきを抑制することが可能な表示画面旋回装置を提供する。【解決手段】この表示画面旋回装置１０は、水平面内で回動可能な回動部材１２と、回動部材１２を回動可能に保持するとともに孔部１１ｃおよび１１ｄを有する直立部１１ａおよび１１ｂがそれぞれ設けられた台座１１と、台座１１の直立部１１ａおよび１１ｂに、回動部材１２を押圧するように嵌め込まれる金属製の皿ばね１５および１６と、台座１１の直立部１１ａおよび１１ｂの孔部１１ｃおよび１１ｄに挿入され、皿ばね１５および１６を押圧して撓ませた状態で保持する抜止部材１９および２０とを備える。【選択図】図４
2008051830.tif 000002
【特許請求の範囲】
【請求項１】
表示画面が取り付けられ、水平面内で回動可能な回動部材を備えた表示画面旋回装置において、
前記回動部材を回動可能に保持するとともに孔部を有する直立部が設けられた台座と、
前記台座の直立部に、前記回動部材を押圧するように嵌め込まれる金属製の板状のばねと、
前記台座の直立部の前記孔部に挿入され、前記板状のばねを押圧して撓ませた状態で保持する抜止部材と、
前記回動部材を前記台座に対して回動可能に押圧するための金属製の押圧部材と、
前記台座の直立部に挿入されるとともに、前記板状のばねと前記抜止部材との間に配置され、前記板状のばねより大きな平面積を有する金属製の板部材とをさらに備え、
前記台座は板金製であって、前記台座の直立部は前記台座を切り起こすことによって前記台座と一体的に形成され、
前記台座は、前記回動部材と対向する面の所定の領域に、前記回動部材と当接する第１凸部を有し、
前記回動部材および前記押圧部材の一方は、互いに対向する面の所定の領域に、前記押圧部材または前記回動部材に当接する第２凸部を有し、
前記抜止部材は、板状に形成されるとともに、前記板状のばねによる押圧力を厚み方向と直交する方向の端面部で受ける、表示画面旋回装置。
【請求項２】
表示画面が取り付けられ、水平面内で回動可能な回動部材と、
前記回動部材を回動可能に保持するとともに孔部を有する直立部が設けられた台座と、
前記台座の直立部に、前記回動部材を押圧するように嵌め込まれる金属製の板状のばねと、
前記台座の直立部の前記孔部に挿入され、前記板状のばねを押圧して撓ませた状態で保持する抜止部材とを備えた、表示画面旋回装置。
【請求項３】
前記台座の直立部は、前記台座に一体的に形成されている、請求項２に記載の表示画面旋回装置。
【請求項４】
前記台座は板金製であって、前記台座の直立部は前記台座を切り起こすことによって前記台座と一体的に形成される、請求項３に記載の表示画面旋回装置。
【請求項５】
前記回動部材を前記台座に対して回動可能に押圧するための金属製の押圧部材をさらに備え、
前記台座は、前記回動部材と対向する面の所定の領域に、前記回動部材と当接する第１凸部を有し、
前記回動部材および前記押圧部材の一方は、互いに対向する面の所定の領域に、前記押圧部材または前記回動部材に当接する第２凸部を有する、請求項２〜４のいずれか１項に記載の表示画面旋回装置。
【請求項６】
前記台座の直立部に挿入されるとともに、前記板状のばねと前記抜止部材との間に配置され、前記板状のばねより大きな平面積を有する金属製の板部材をさらに備える、請求項２〜５のいずれか１項に記載の表示画面旋回装置。
【請求項７】
前記抜止部材は、板状に形成されるとともに、前記板状のばねによる押圧力を厚み方向と直交する方向の端面部で受ける、請求項２〜６のいずれか１項に記載の表示画面旋回装置。
【発明の詳細な説明】
【技術分野】
【０００１】
この発明は、表示画面旋回装置に関し、特に、表示画面が取り付けられ、水平面内で回動可能な回動部材を備えた表示画面旋回装置に関する。
【背景技術】
【０００２】
従来、表示画面が取り付けられ、水平面内で回動可能な回動部材を備えた表示画面旋回装置が知られている（たとえば、特許文献１〜５参照）。
【０００３】
上記特許文献１には、ベース板と、表示装置（またはオーディオ装置など）を上部に載せて表示装置とともに回動する連結板と、この連結板をベース板との間に挟持して連結板を上下方向および左右方向に回動自在に保持する挟持板とを備えた表示画面旋回装置（回転スタンド）が開示されている。この特許文献１に記載の表示画面旋回装置（回転スタンド）では、上から挟持板、連結板およびベース板の順に重ね合わせる際に、挟持板、連結板およびベース板を直線的に貫通する貫通孔に、ねじが切られたボルトおよびスプリング（圧縮コイルばね）を通すとともにナットを使用して所定の量だけ締め付けることによって、連結板が挟持板およびベース板から所定の圧接力を受けるように構成されている。そして、この回転スタンドでは、連結板は所定の摩擦力を発生させながら表示装置とともに回動されるように構成されている。
【０００４】
また、上記特許文献２には、ベース部材と、薄型ディスプレイを上部に載せて薄型ディスプレイとともに水平方向に旋回するブラケット部材と、ベース部材とブラケット部材との間に介在するプレート（摩擦板）とを備えた表示画面旋回装置が開示されている。この表示画面旋回装置では、上からブラケット部材、プレートおよびベース部材の順に重ね合わせる際に、ブラケット部材、プレートおよびベース部材を直線的に貫通する複数の貫通孔に、それぞれ、ねじが切られたボルトおよびスプリング（圧縮コイルばね）を通すとともにナットを使用して所定の量だけ締め付けることによって、プレートがブラケット部材およびベース部材から所定の圧接力を受けるように構成されている。そして、特許文献２に記載の表示画面旋回装置では、ブラケット部材は所定の摩擦力を発生しながら薄型ディスプレイとともに水平方向に旋回されるように構成されている。
【０００５】
また、上記特許文献３には、受け台と、表示装置を上部に載せて表示装置とともに回動する角度調整装置台と、この角度調整装置台を受け台との間に挟持して角度調整装置台を上下方向に回動自在に保持するＴ字の断面形状を有する保持軸とを備えた表示画面旋回装置（角度調整装置）が開示されている。この特許文献３に記載の表示画面旋回装置（角度調整装置）では、上から角度調整装置台および受け台の順に重ね合わせる際に、角度調整装置台および受け台を直線的に貫通する貫通孔に保持軸を挿入するとともに、保持軸の片側がＴ字の断面形状によって角度調整装置台の上面から下方向に抜止めされる一方で、Ｔ字の断面形状を有しない側の保持軸の端部からスプリング（圧縮コイルばね）を挿入した上でワッシャ板を被せて保持軸にねじ留めを行うことによって、角度調整装置台および受け台がＴ字の断面形状を有する保持軸から所定の圧接力で挟まれるように構成されている。そして、この表示画面旋回装置（角度調整装置）では、角度調整装置台と受け台との間に所定の摩擦力を発生させながら、角度調整装置台が表示装置とともに回動されるように構成されている。
【０００６】
また、上記特許文献４には、円弧状の溝を有する台座と、円弧状の溝を転がるローラと、本体底部に円弧状のリブが設けられたキャビネット本体（表示装置）を有する底板とを備えた表示画面旋回装置（キャビネット回転装置）が開示されている。この特許文献４に記載の表示画面旋回装置（キャビネット回転装置）では、台座の円弧状の溝から抜止可能に形成された円弧状のリブが、ローラの上を移動するとともに、ローラが円弧状の溝を転がることによって、重量物であるキャビネット本体が台座上で水平方向に旋回されるように構成されている。
【０００７】
また、上記特許文献５には、監視用のテレビカメラに直結する回転軸を有する円形状の回転板と、この回転板の内部に、平面的に見てＣ字状に切り抜かれた内側面が連続する滑らかな曲面を有する孔部に所定の圧接力で接触しながら回転するローラと、ローラの回転軸に直結するモータと、このローラが回転板のＣ字状に切り抜かれた孔部の内側面に接触しながら回転する場合の内側面側のローラとの接触位置にかかわらず、常にローラが回転板の内側面に接触する方向にローラを圧接することが可能なカム機構とを備えた表示画面旋回装置（監視用テレビジョンカメラ等の反転装置）が開示されている。この表示画面旋回装置（監視用テレビジョンカメラ等の反転装置）では、ローラがモータによって常に同一方向に回転する一方で、ローラがカム機構によってＣ字状に形成された回転板の内側面に常に接触しているために、ローラが回転板の内側面を回転しながら移動するとともに、回転板は周期的に回転方向を反転させながら回転を繰り返すように構成されている。
【０００８】
【特許文献１】特開２００３−７４７８７号公報
【特許文献２】特開２００５−２８４０８７号公報
【特許文献３】実開平６−９２７７号公報
【特許文献４】特開平７−２４０８９０号公報
【特許文献５】特開昭６３−８８３９９号公報
【発明の開示】
【発明が解決しようとする課題】
【０００９】
しかしながら、上記特許文献１に記載の表示画面旋回装置（回転スタンド）では、回転スタンドの組立工程において、ねじが切られたボルトにナットを螺合させてスプリング（圧縮コイルばね）の縮み量を調節しながら、連結板が挟持板およびベース板から所定の圧接力を受けるように組み立てられていると考えられるので、圧接力（スプリングの縮み量）を調節する工程が必要となる。このため、組立作業が煩雑であるので、組立作業性を向上させることが困難であるという問題点がある。
【００１０】
また、上記特許文献２に記載の表示画面旋回装置では、旋回装置の組立工程において、ねじが切られたボルトにナットを螺合させてスプリング（圧縮コイルばね）の縮み量を調節しながら、プレートがブラケット部材およびベース部材から所定の圧接力を受けるように組み立てられていると考えられるので、圧接力（スプリングの縮み量）を調節する工程が必要となる。このため、組立作業が煩雑であるので、組立作業性を向上させることが困難であるという問題点がある。
【００１１】
また、上記特許文献３に記載の表示画面旋回装置（角度調整装置）では、角度調整装置の組立工程において、Ｔ字の断面形状を有する保持軸のねじが切られたボルト部にナットとワッシャを螺合させてスプリング（圧縮コイルばね）の縮み量を調節しながら、角度調整装置台および受け台が、Ｔ字の断面形状を有する保持軸から所定の圧接力を受けるように組み立てられていると考えられるので、圧接力（スプリングの縮み量）を調節する工程が必要となる。このため、組立作業が煩雑であるので、組立作業性を向上させることが困難であるという問題点がある。
【００１２】
また、上記特許文献４に記載の表示画面旋回装置（キャビネット回転装置）では、キャビネット本体（表示装置）は、キャビネット本体の底部に設けられた円弧状のリブを介して、対向する台座側の円弧状の溝に配されたローラ上に当接することによって台座上に載せられている構造のみであり、鉛直下方向については、キャビネット本体の自重により安定性を有するものの、不意な水平方向の力に対しては、倒れやすいと考えられる。このため、キャビネット本体の回転時にがたつきが生じやすい場合があるという問題点がある。
【００１３】
また、上記特許文献５に記載の表示画面旋回装置（監視用テレビジョンカメラ等の反転装置）では、ローラが回転板の内側面（水平方向）にのみ圧接して回転するのみであり、回転に伴う回転板の垂直方向（回転軸方向）のぶれを抑制するための機構は有していないと考えられる。したがって、使用状況によっては回転板の回転時にがたつきが生じやすい場合があるという問題点がある。
【００１４】
この発明は、上記のような課題を解決するためになされたものであり、この発明の１つの目的は、組立作業性を向上することが可能で、かつ、回転時のがたつきを抑制することが可能な表示画面旋回装置を提供することである。
【課題を解決するための手段および発明の効果】
【００１５】
この発明の第１の局面による表示画面旋回装置は、表示画面が取り付けられ、水平面内で回動可能な回動部材を備えた表示画面旋回装置において、回動部材を回動可能に保持するとともに孔部を有する直立部が設けられた台座と、台座の直立部に、回動部材を押圧するように嵌め込まれる金属製の板状のばねと、台座の直立部の孔部に挿入され、板状のばねを押圧して撓ませた状態で保持する抜止部材と、回動部材を台座に対して回動可能に押圧するための金属製の押圧部材と、台座の直立部に挿入されるとともに、板状のばねと抜止部材との間に配置され、板状のばねより大きな平面積を有する金属製の板部材とをさらに備え、台座は板金製であって、台座の直立部は台座を切り起こすことによって台座と一体的に形成され、台座は、回動部材と対向する面の所定の領域に、回動部材と当接する第１凸部を有し、回動部材および押圧部材の一方は、互いに対向する面の所定の領域に、押圧部材または回動部材に当接する第２凸部を有し、抜止部材は、板状に形成されるとともに、板状のばねによる押圧力を厚み方向と直交する方向の端面部で受ける。
【００１６】
この第１の局面による表示画面旋回装置では、上記のように、台座の直立部の孔部に挿入され、板状のばねを押圧して撓ませた状態で保持する抜止部材を備えるように構成することによって、組立工程において、治具などを用いて所定の押圧力を生ずるように板状のばねを撓ませた上で、抜止部材を台座の直立部の孔部に挿入する作業で済むために、組立作業性を向上することができる。また、回動部材を回動可能に保持する台座の直立部に、回動部材を押圧するように嵌め込まれる金属製の板状のばねを備えるように構成することによって、常に、板状のばねが所定の押圧力で回動部材を押圧した状態で回動部材が回動するために、回動時のがたつきを抑制することができる。また、台座の直立部は、台座に一体的に形成されるように構成することによって、別部品として製造された直立部を台座に取り付けるための作業工程が不要となるので、組立作業性をより向上することができる。また、台座は板金製であって、台座の直立部は台座を切り起こすことによって台座と一体的に形成されるように構成することによって、金属性の台座をプレス加工により形成する際に、容易に、直立部を同時に形成することができる。
【００１７】
また、第１の局面による表示画面旋回装置では、台座を、回動部材と対向する面の所定の領域に、回動部材と当接する第１凸部を有するように構成するとともに、回動部材または押圧部材の一方を、互いに対向する面の所定の領域に、押圧部材または回動部材に当接する第２凸部を有するように構成することによって、回動部材は、台座および押圧部材とそれぞれ第１凸部および第２凸部のみで当接しながら回動するために、回動時の摩擦に伴う部材同士の擦れ傷が発生する範囲を限定的なものとすることができる。また、台座の直立部に挿入されるとともに、板状のばねと抜止部材との間に配置され、板状のばねより大きな平面積を有する金属製の板部材をさらに備えるように構成することによって、板状のばねの押圧力が、板状のばねの平面積（据付面積）より大きな平面積を有する板部材を介して抜止部材に対して作用するために、抜止部材は、抜止部材と板部材とが当接する当接面全体で、板状のばねの押圧力を受けることができる。このため、抜止部材は安定的に板状のばねを保持することができる。また、抜止部材は、板状に形成されるとともに、板状のばねによる押圧力を厚み方向と直交する方向の端面部で受けるように構成することによって、板状のばねの押圧力を、抜止部材のうちの強度の高い厚み方向と直交する方向の端面部で受けることができるので、板状のばねの押圧力に起因して抜止部材が変形するのを抑制することができる。
【００１８】
この発明の第２の局面による表示画面旋回装置は、表示画面が取り付けられ、水平面内で回動可能な回動部材と、回動部材を回動可能に保持するとともに孔部を有する直立部が設けられた台座と、台座の直立部に、回動部材を押圧するように嵌め込まれる金属製の板状のばねと、台座の直立部の孔部に挿入され、板状のばねを押圧して撓ませた状態で保持する抜止部材とを備えている。
【００１９】
この第２の局面による表示画面旋回装置では、上記のように、台座の直立部の孔部に挿入され、板状のばねを押圧して撓ませた状態で保持する抜止部材を備えるように構成することによって、組立工程において、治具などを用いて所定の押圧力を生ずるように板状のばねを撓ませた上で、抜止部材を台座の直立部の孔部に挿入する作業で済むために、組立作業性を向上することができる。また、回動部材を回動可能に保持する台座の直立部に、回動部材を押圧するように嵌め込まれる金属製の板状のばねを備えるように構成することによって、常に、板状のばねが所定の押圧力で回動部材を押圧した状態で回動部材が回動するために、回動時のがたつきを抑制することができる。
【００２０】
上記第２の局面による表示画面旋回装置において、好ましくは、台座の直立部は、台座に一体的に形成されている。このように構成すれば、別部品として製造された直立部を台座に取り付けるための作業工程が不要となるので、組立作業性をより向上することができる。
【００２１】
この場合、好ましくは、台座は板金製であって、台座の直立部は台座を切り起こすことによって台座と一体的に形成される。このように構成すれば、金属性の台座をプレス加工により形成する際に、容易に、直立部を同時に形成することができる。
【００２２】
上記第２の局面による表示画面旋回装置において、好ましくは、回動部材を台座に対して回動可能に押圧するための金属製の押圧部材をさらに備え、台座は、回動部材と対向する面の所定の領域に、回動部材と当接する第１凸部を有し、回動部材および押圧部材の一方は、互いに対向する面の所定の領域に、押圧部材または回動部材に当接する第２凸部を有する。このように構成すれば、回動部材は、台座および押圧部材とそれぞれ第１凸部および第２凸部のみで当接しながら回動するために、回動時の摩擦に伴う部材同士の擦れ傷が発生する範囲を限定的なものとすることができる。
【００２３】
上記第２の局面による表示画面旋回装置において、好ましくは、台座の直立部に挿入されるとともに、板状のばねと抜止部材との間に配置され、板状のばねより大きな平面積を有する金属製の板部材をさらに備える。このように構成すれば、板状のばねの押圧力が、板状のばねの平面積（据付面積）より大きな平面積を有する板部材を介して抜止部材に対して作用するために、抜止部材は、抜止部材と板部材とが当接する当接面全体で、板状のばねの押圧力を受けることができる。このため、抜止部材は安定的に板状のばねを保持することができる。
【００２４】
上記第２の局面による表示画面旋回装置において、好ましくは、抜止部材は、板状に形成されるとともに、板状のばねによる押圧力を厚み方向と直交する方向の端面部で受ける。このように構成すれば、板状のばねの押圧力を、抜止部材のうちの強度の高い厚み方向と直交する方向の端面部で受けることができるので、板状のばねの押圧力に起因して抜止部材が変形するのを抑制することができる。
【発明を実施するための最良の形態】
【００２５】
以下、本発明を具体化した実施形態を図面に基づいて説明する。
【００２６】
図１は、本発明の一実施形態による表示画面旋回装置が設けられた液晶表示装置の全体構成を示した斜視図である。図２は、図１に示した本発明の一実施形態による液晶表示装置から表示画面部を取り外した状態を示した斜視図である。図３は、図１に示した本発明の一実施形態による液晶表示装置から表示画面部および表示画面支持機構を取り外した状態を示した表示画面旋回装置の斜視図である。図４〜図１３は、図１に示した本発明の一実施形態による表示画面旋回装置の詳細構造を示した図である。まず、図１〜図１３を参照して、本発明の一実施形態による表示画面旋回装置の構造について説明する。
【００２７】
本発明の一実施形態による表示画面旋回装置１０は、図１に示すように、表示画面支持機構３０によって支持されている液晶表示装置１００の表示画面部４０を水平方向（矢印Ａ方向およびＢ方向）に（たとえば±４５度）回動させるために設けられている。また、表示画面支持機構３０は、図２に示すように、表示画面旋回装置１０に設けられた後述する回動部材１２の上面にねじ部材５０によって固定されており、図１に示すように、表示画面部４０を表示画面旋回装置１０に対して垂直方向（矢印Ｃ方向およびＤ方向）に回動可能とするとともに、表示画面部４０を表示画面旋回装置１０に対して所定の角度だけ傾斜させた状態で支持することが可能なように構成されている。
【００２８】
ここで、本実施形態では、表示画面旋回装置１０は、図３に示すように、板金製の台座１１と、板金製の回動部材１２と、金属製の押圧部材１３および１４と、円形状を有する金属製の皿ばね１５および１６と、円形状を有する金属製の板部材１７および１８と、金属製の抜止部材１９および２０とから構成されている。なお、皿ばね１５および１６は、本発明の「板状のばね」の一例である。
【００２９】
また、本実施形態では、図３および図４に示すように、回動部材１２を板金製の台座１１の所定の場所に載置した状態で、台座１１に切り起こし加工によって一体的に形成された直立部１１ａおよび１１ｂに、金属製の押圧部材１３および１４に設けられた長方形状の穴部１３ａおよび１４ａを介して、押圧部材１３および１４がそれぞれ嵌め込まれている。そして、２枚の皿ばね１５および１６をそれぞれ互いに凸となる向き重ね合わした状態で、押圧部材１３および１４の上にそれぞれ２枚ずつ嵌め込まれるように構成されている。さらに、図３および図４に示すように、２枚の皿ばね１５および１６の上側に、金属製の板部材１７および１８に設けられた長方形状の穴部１７ａおよび１８ａを介して、板部材１７および１８がそれぞれ嵌め込まれるとともに、抜止部材１９および２０が、それぞれの直立部１１ａおよび１１ｂに設けられた長方形の孔部１１ｃおよび１１ｄに挿入されている。このように、２枚の皿ばね１５および１６をそれぞれ所定の押圧力で押圧して撓ませた状態とすることによって、台座１１と押圧部材１３および１４との間に挟持された回動部材１２が水平方向に回動可能に保持されるように構成されている。
【００３０】
また、本実施形態では、図３および図４に示すように、円形状を有する板部材１７および１８は、円形状を有する２枚の皿ばね１５および１６の平面積よりそれぞれ大きな平面積を有している。また、板金製の抜止部材１９および２０は、図５に示すように、２枚の皿ばね１５および１６による押圧力を、厚み方向Ｔと直交する方向Ｈの端面部１９ａ、１９ｂ、２０ａおよび２０ｂで受けるように、直立部１１ａおよび１１ｂ（図３参照）の孔部１１ｃおよび１１ｄ（図４参照）にそれぞれ挿入されている。
【００３１】
また、図５に示すように、板金製の抜止部材１９および２０はクサビ状に形成されているとともに、長手方向に延びる一方側面１９ｃおよび２０ｃにそれぞれ設けられた面取部１９ｄおよび２０ｄと、長手方向に延びる他方側面１９ｅおよび２０ｅにそれぞれ設けられた面取部１９ｆおよび２０ｆとを含んでいる。また、抜止部材１９および２０の一方側面１９ｃおよび２０ｃの長さＬ１およびＬ３は、他方側面１９ｅおよび２０ｅの長さＬ２およびＬ４よりそれぞれ短く設けられている。このように抜止部材１９および２０がクサビ状に形成されていることによって、図３に示すように、抜止部材１９および２０が、台座１１の直立部１１ａおよび１１ｂに設けられた孔部１１ｃおよび１１ｄに挿入した際に、容易に抜け落ちることを抑制することが可能である。また、面取部１９ｄおよび２０ｄは、抜止部材１９および２０を孔部１１ｃおよび１１ｄ（図４参照）に挿入しやすくするために設けられている。
【００３２】
また、本実施形態では、図４、図７および図８に示すように、台座１１には、台座１１が回動部材１２と対向する所定の領域（４箇所）に、回動部材１２の下面１２ａに当接する凸部１１ｅがプレス加工によって設けられている。回動部材１２には、回動部材１２が押圧部材１３と対向する上面１２ｂの所定の領域（２箇所）に、押圧部材１３の下面１３ａに当接する凸部１２ｃがプレス加工によって設けられている。また、凸部１１ｅは、回動部材１２の回動方向の接線方向に沿って延びるリブ状に形成されており、凸部１２ｃは、円形のボス状に形成されている。また、図４、図６および図８に示すように、押圧部材１４は、押圧部材１４が回動部材１２と対向する下面１４ｂの所定の領域に、回動部材１２と当接する円形状のリブ１４ｃがプレス加工によって設けられている。なお、凸部１１ｅおよび凸部１２ｃは、それぞれ、本発明の「第１凸部」および「第２凸部」の一例である。
【００３３】
また、台座１１の直立部１１ａは、図４および図７に示すように、回動部材１２が回動する際に、回動部材１２に形成された円弧状の側面部１２ｄおよび１２ｅの回動（水平方向の旋回）をガイドするための側面部１１ｆおよび１１ｇを含んでいる。また、台座１１の直立部１１ａは、図７に示すように、直立部１１ｂを中心に中心線４００（一点鎖線）から両側に対称となる位置に設けられている。また、台座１１は、図４に示すように、切り起こし加工（プレス加工）によって一体的に形成された爪部１１ｈを有し、回動部材１２が回動する際に、回動部材１２に形成された円弧状の側面部１２ｆが、爪部１１ｈの内壁面１１ｉにガイドされながら回動するように構成されている。また、台座１１は、プレス加工によって設けられた凸部１１ｊに２つのねじ取付孔部１１ｋを有し、孔部２１ａを有する金属製の板部材２１が、ねじ部材５０によって、台座１１の凸部１１ｊ上に固定されている。なお、金属製の板部材２１の側面部２１ｂは、回動部材１２が水平方向に所定の角度（本実施形態では±４５度）だけ回動する際に、回動部材１２の側面部１２ｇが当接することによって回動動作を規制することが可能となるように形成されている。また、台座１１の凸部１１ｊは斜面部１１ｌを含み、回動部材１２が回動する際に、回動部材１２に形成された円弧状の側面部１２ｈが、斜面部１１ｌに当接しながら回動するように構成されている。また、台座１１は、押圧部材１３が対向する位置に角穴１１ｍ（４箇所）を有し、押圧部材１３が回動部材１２を押圧する際に、押圧部材１３に設けられた突起部１３ｃ（２箇所）を角穴１１ｍにそれぞれ挿入することによって位置決めがなされるように構成されている。
【００３４】
また、回動部材１２は、図４に示すように、後述する表示画面支持部材３１（図２参照）をねじ部材５０によって固定するための４つのねじ取付孔１２ｉが設けられた取付部１２ｊを含んでいる。
【００３５】
また、表示画面支持機構３０は、図２および図９に示すように、表示画面支持部材３１と、一対の垂直支持部材３２と、板金製の板状の支持軸３３と、板金製の抜止部材３４と、金属製の皿ばね３５と、板金製の圧接板３６および３７と、金属製の皿ばね３５に当接する板部材３８とから構成されている。また、圧接板３６および３７には、支持軸３３を挿入するための長方形の穴部３６ａおよび３７ａがそれぞれ設けられている。また、板部材３８には、支持軸３３を挿入するための長方形の穴部３８ａが設けられている。
【００３６】
また、表示画面支持部材３１は、図１１に示すように、表示画面部取付部３１ａと、一対の回動部３１ｂとを含んでいる。また、表示画面支持部材３１の表示画面部取付部３１ａには、４つのねじ挿入孔３１ｃが設けられている。また、表示画面支持部材３１の一対の回動部３１ｂは、表示画面部取付部３１ａの両側端部から、それぞれ、表示画面部取付部３１ａの表面に対して垂直方向に延びるように設けられている。また、図１１に示すように、一対の回動部３１ｂの回動中心部近傍には、ぞれぞれ、扇形状の穴部３１ｄが設けられている。
【００３７】
また、扇形状の穴部３１ｄは、図９に示すように、板状の支持軸３３を挿入するために設けられている。また、扇形状の穴部３１ｄは、図１１に示すように、円心側の根元部３１ｅが上側に位置するように配置されているとともに、円心側の根元部３１ｅが支持軸３３の上面と当接される。これにより、扇形状の穴部３１ｄの根元部３１ｅが表示画面支持部材３１を介して表示画面部４０の垂直荷重を受けるように構成されている。また、扇形状の穴部３１ｄは、図１０および図１１に示すように、垂直方向から一方に開く角度α１（４５度）の中心角と他方に開く角度β１（５度）の中心角とを有する。また、表示画面支持部材３１は、板状の支持軸３３に支持された扇形状の穴部３１ｄの根元部３１ｅを中心にして、支持軸３３に対して扇形状の角度範囲（本実施形態では、α１＋β１＝５０度）で回動可能に構成されている。すなわち、板状の支持軸３３は、表示画面支持部材３１の回動軸として機能する。
【００３８】
また、一対の垂直支持部材３２は、図９および図１２に示すように、それぞれ、台座取付部３２ａと、回動部取付部３２ｂとを含んでいる。また、垂直支持部材３２の台座取付部３２ａには、４つのねじ取付孔３２ｃが設けられている。また、垂直支持部材３２の回動部取付部３２ｂは、台座取付部３２ａの一方端部から台座取付部３２ａの表面に対して垂直方向の上方に延びるように設けられている。
【００３９】
また、垂直支持部材３２の回動部取付部３２ｂには、扇形状の穴部３２ｄが設けられている。また、扇形状の穴部３２ｄは、図１２に示すように、板状の支持軸３３を挿入するために設けられている。また、扇形状の穴部３２ｄは、図１２に示すように、円心側の根元部３２ｅが下側に位置するように配置されているとともに、支持軸３３の下面と当接される。これにより、扇形状の穴部３２ｄの根元部３２ｅが、表示画面支持部材３１および支持軸３３を介して表示画面部４０の垂直荷重を受けるように構成されている。つまり、本実施形態では、表示画面支持部材３１の穴部３１ｄの根元部３１ｅと、垂直支持部材３２の穴部３２ｄの根元部３２ｅとによって表示画面部４０の垂直荷重を受けるように構成されている。また、扇形状の穴部３２ｄは、図１０および図１２に示すように、垂直方向から一方に開く角度α２（４５度）の中心角と他方に開く角度β２（５度）の中心角とを有する。また、支持軸３３は、扇形状の穴部３ｄの根元部３ｅを中心にして、垂直支持部材３２に対して扇形状の角度範囲（本実施形態では、α２＋β２＝５０度）で回動可能に構成されている。
【００４０】
また、板金製の板状の支持軸３３は、図９に示すように、一対の当接部３３ａと、長方形状の穴部３３ｂとを含んでいる。支持軸３３の一対の当接部３３ａは、支持軸３３の長手方向に延びる両側面の後端部に突出するように設けられている。この当接部３３ａは、図２および図９に示すように、垂直支持部材３２側の皿ばね３５と当接させるために設けられている。また、支持軸３３の長方形状の穴部３３ｂは、図２および図９に示すように、抜止部材３４を挿入するために設けられている。
【００４１】
また、図１３に示すように、板金製の抜止部材３４はクサビ状に形成されているとともに、長手方向に延びる一方側面３４ａ設けられた面取部３４ｂと、長手方向に延びる他方側面３４ｃに設けられた面取部３４ｄを含んでいる。また、抜止部材３４の一方側面３４ａの長さＬ１は、他方側面３４ｃの長さＬ２より短く設けられている。このように抜止部材３４がクサビ状に形成されていることによって、図２に示すように、抜止部材３４が、板状の支持軸３３に設けられた長方形状の穴部３３ｂ（図９参照）に挿入した際に、容易に抜け落ちることを抑制するために設けられている。また、面取部３４ｂは、抜止部材３４を支持軸３３に設けられた長方形状の穴部３３ｂ（図９参照）に挿入しやすくするために設けられている。
【００４２】
また、液晶表示装置１００の表示画面部４０は、図１に示すように、液晶画面部（図示せず）を含む液晶モジュール４１が、樹脂製のフロントキャビネット４２およびリアキャビネット４３によって内包されるように構成されている。また、表示画面部４０の液晶モジュール４１は、表示画面支持部材３１のねじ挿入孔３１ｃを介して、ねじ取付孔（図示せず）にねじ部材５０が締め付けられることにより、表示画面支持部材３１に取り付けられている。また、リアキャビネット４３には、表示画面支持部材３１を覆い隠して配置するための切欠部４３ａが一体的に設けられている。
【００４３】
また、表示画面旋回装置１０の台座１１には、図１に示すように、樹脂製のカバー部材２２が取り付けられている。また、樹脂製のカバー部材２２には、表示画面支持機構３０を回動可能に配置するための切欠部２２ａが設けられている。
【００４４】
図１４および図１５は、図１に示した本発明の一実施形態による表示画面旋回装置の回動動作を説明するための平面図である。図１６〜図２０は、図１に示した本発明の一実施形態による表示画面支持機構の回動動作を説明するための断面図である。図１、図３、図４、図９、図１０および図１４〜図２０を参照して、本実施形態による表示画面旋回装置および表示画面支持機構の回動動作について説明する。
【００４５】
まず、表示画面旋回装置１０を水平方向に回動させる場合には、図１４に示すように、表示画面支持部材３１が正面を向いた状態（台座１１の長辺と図１に示す表示画面部４０とが平行となった状態）から、表示画面支持部材３１により支持される表示画面部４０（図１参照）をユーザが把持して矢印Ａ方向（図１参照）に押圧する。その場合、図１４に示すように、回動部材１２は、台座１１の上面に配置された回動部材１２の円弧状の４つの側面部１２ｄ、１２ｅ、１２ｆおよび１２ｈが、台座１１の直立部１１ａの側面部１１ｆ、１１ｇ、爪部１１ｈおよび凸部１１ｊの斜面部１１ｋにガイドされながら、水平方向（矢印Ａ方向）に回動する。そして、図１５に示すように、回動部材１２の側面部１２ｇが、台座１１の板部材２１の側面部２１ａと当接する回動角度（本実施形態では４５度）まで回動可能である。なお、図１４に示した表示画面支持部材３１が正面を向いた状態から、ユーザが矢印Ｂ方向（図１参照）に表示画面部４０を回動させる場合の回動動作についても、上述と同様の動作によって、回動部材１２が回動される。
【００４６】
また、回動部材１２の矢印Ａ方向への回動角度が、表示画面支持部材３１が正面を向いた状態を基準に０度〜４５度、または矢印Ｂ方向への回動角度が、表示画面支持部材３１が正面を向いた状態を基準に０度〜４５度の任意の回動角度で、ユーザが表示画面部４０の押圧を止めると、上述したように、皿ばね１５および１６（図４参照）が押圧部材１３および１４（図４参照）をそれぞれ押圧しているため、押圧部材１３および１４と回動部材１２との摩擦力によって、回動部材１２はその位置で回動が静止される。
【００４７】
次に、表示画面支持機構３０を垂直方向に回動させる場合には、図１６に示した表示画面支持部材３１が表示画面旋回装置１０に対して垂直に支持されている状態から、表示画面支持部材３１により支持される表示画面部４０をユーザが矢印Ｃ方向に押圧する。その場合、図１０に示すように、表示画面支持部材３１の扇状の穴部３１ｄの根元部３１ｅと支持軸３３の上面とが当接しながら、表示画面支持部材３１と支持軸３３とが一体的に垂直支持部材３２の扇状の穴部３２ｄの根元部３２ｅを回動中心として、矢印Ｃ方向に回動を開始する。そして、表示画面支持部材３１と支持軸３３とが４５度（図１０の角度α２）回動されると、図１７に示すように、支持軸３３の側面は、垂直支持部材３２の扇形状の穴部３２ｄの一方縁に当接する。この状態で、ユーザが表示画面部４０を矢印Ｃ方向に更に押圧すると、図１７に示すように、表示画面支持部材３１が、扇状の穴部３１ｄの根元部３１ｅを回動中心として支持軸３３に対して矢印Ｃ方向への回動を継続する。そして、表示画面支持部材３１が、矢印Ｃ方向に更に４５度（図１０の角度α１）回動されると、図１８に示すように、支持軸３３は、表示画面支持部材３１の扇状の穴部３１ｄの一方縁に当接するとともに、矢印Ｃ方向への回動が終了する。このように、本実施形態では、図１６に示した表示画面部４０が表示画面支持部材３１によって表示画面旋回装置１０に対して垂直に支持されている状態から、図１８に示すように、矢印Ｃ方向に９０度まで回動可能である。
【００４８】
また、図１６に示した表示画面部４０が表示画面支持部材３１によって表示画面旋回装置１０に対して垂直に支持されている状態から、表示画面支持部材３１により支持される表示画面部４０をユーザが矢印Ｄ方向に押圧する。その場合、図１０に示すように、表示画面支持部材３１の扇状の穴部３１ｄの根元部３１ｅと支持軸３３の上面とが当接しながら、表示画面支持部材３１と支持軸３３とが一体的に垂直支持部材３２の扇状の穴部３２ｄの根元部３２ｅを回動中心として、矢印Ｄ方向に回動を開始する。そして、表示画面支持部材３１と支持軸３３とが５度（図１０の角度β２）回動されると、図１９に示すように、支持軸３３は、垂直支持部材３２の扇形状の穴部３２ｄの他方縁に当接する。この状態で、ユーザが表示画面部４０を矢印Ｄ方向に更に押圧すると、図１９に示すように、表示画面支持部材３１が、扇状の穴部３１ｄの根元部３１ｅを回動中心として支持軸３３に対して矢印Ｄ方向への回動を継続する。そして、表示画面支持部材３１が、矢印Ｄ方向に更に５度（図１０の角度β１）回動されると、図２０に示すように、支持軸３３は、表示画面支持部材３１の扇状の穴部３１ｄの他方縁に当接するとともに、矢印Ｄ方向への回動が終了する。このように、本実施形態では、図１６に示した表示画面部４０が表示画面支持部材３１によって表示画面旋回装置１０に対して垂直に支持されている状態から、図２０に示すように、矢印Ｄ方向に１０度まで回動可能である。
【００４９】
また、図１６に示すように、表示画面部４０が表示画面支持部材３１によって表示画面旋回装置１０に対して垂直に支持されている状態から、表示画面部４０の矢印Ｃ方向への回動角度が０度〜９０度、または矢印Ｄ方向への回動角度が０度〜１０度の任意の回動角度で、ユーザが表示画面部４０の押圧を止めると、上述したように、皿ばね３５（図９参照）が圧接板３７（図９参照）を介して表示画面支持部材３１と垂直支持部材３２とを挟持するように押圧しているため、表示画面支持部材３１と垂直支持部材３２との摩擦力によって表示画面支持部材３１の回動角度は維持される。
【００５０】
本実施形態では、上記のように、表示画面旋回装置１０が、台座１１の直立部１１ａおよび１１ｂに設けられた長方形の孔部１１ｃおよび１１ｄに挿入され、皿ばね１５および１６を押圧して撓ませた状態で保持する抜止部材１９および２９を備えるように構成することによって、表示画面旋回装置１０の組立工程において、治具などを用いて所定の押圧力を生ずるように皿ばね１５および１６を撓ませた上で、抜止部材１９および２０を台座１１の直立部１１ａおよび１１ｂの孔部１１ｃおよび１１ｄに挿入する作業で済むために、組立作業性を向上することができる。また、表示画面旋回装置１０が、回動部材１２を回動可能に保持する台座１１の直立部１１ａおよび１１ｂに、回動部材１２を押圧するように嵌め込まれる金属製の皿ばね１５および１６を備えるように構成することによって、常に、皿ばね１５および１６が所定の押圧力で回動部材１２を押圧した状態で回動部材１２が回動するために、回動時のがたつきを抑制することができる。
【００５１】
また、本実施形態では、台座１１の直立部１１ａおよび１１ｂは、台座１１に一体的に形成されることによって、別部品として製造された直立部を台座１１に取り付けるための作業工程が不要となるので、組立作業性をより向上することができる。
【００５２】
また、本実施形態では、台座１１は板金製であって、台座１１の直立部１１ａおよび１１ｂは、台座１１を切り起こすことによって台座１１と一体的に形成されることによって、金属性の台座１１をプレス加工により形成する際に、容易に、直立部１１ａおよび１１ｂを同時に形成することができる。
【００５３】
また、本実施形態では、回動部材１２を台座１１に対して回動可能に押圧するための金属製の押圧部材１３をさらに備え、台座１１には、回動部材１２と対向する下面１２ａの所定の領域（４箇所）に、回動部材１２と当接する凸部１１ｅがプレス加工によって設けられるとともに、回動部材１２には、回動部材１２が押圧部材１３と対向する上面１２ｂの所定の領域（２箇所）に、押圧部材１３の下面１３ａに当接する凸部１２ｃがプレス加工によって設けられるように構成することによって、回動部材１２は、台座１１および押圧部材１３とそれぞれ凸部１１ｅ（４箇所）および凸部１２ｃ（２箇所）のみで当接しながら回動するために、回動時の摩擦に伴う台座１１、回動部材１２および押圧部材１３の間で擦れ傷が発生する範囲を限定的なものとすることができる。また、回動時の摩擦に伴う台座１１、回動部材１２および押圧部材１３の間で発生する擦れ傷は、ユーザ側から隠れて見えない部分での発生に留められるために、液晶表示装置１００の外観を損ねることを防止することも可能である。
【００５４】
また、本実施形態では、台座１１の直立部１１ａおよび１１ｂに挿入されるとともに、皿ばね１５および１６と抜止部材１９および２０との間に配置され、皿ばね１５および１６より大きな平面積を有する金属製の板部材１７および１８をさらに備えることによって、皿ばね１５および１６の押圧力が、皿ばね１５および１６の平面積（据付面積）より大きな平面積を有する板部材１７および１８を介して抜止部材１９および２０に対して作用するために、抜止部材１９および２０は、抜止部材１９および２０と板部材１７および１８とが当接する端面部１９ｂおよび２０ｂの全ての領域で、皿ばね１５および１６からの押圧力を受けることができる。このため、抜止部材１９および２０は安定的に皿ばね１５および１６を保持することができる。
【００５５】
また、本実施形態では、抜止部材１９および２０は、板状に形成されるとともに、皿ばね１５および１６による押圧力を厚み方向と直交する方向の端面部１９ａ、１９ｂ、２０ａおよび２０ｂで受けるように構成することによって、皿ばね１５および１６の押圧力を、抜止部材１９および２０のうちの強度の高い厚み方向Ｔと直交する方向Ｈの端面部１９ａ、１９ｂ、２０ａおよび２０ｂで受けることができるので、皿ばね１５および１６からの押圧力に起因して抜止部材１９および２０が変形するのを抑制することができる。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記実施形態では、液晶表示装置に表示画面旋回装置を設ける例を示したが、本発明はこれに限らず、有機ＥＬ表示装置などの液晶画面以外の表示画面を有する表示装置に表示画面旋回装置を設けるようにしてもよい。
【００５８】
たとえば、上記実施形態では、表示画面旋回装置１０が、回動部材１２を回動可能に保持する台座１１の直立部１１ａおよび１１ｂに、回動部材１２を押圧するように嵌め込まれる板状のばねとしての金属製の皿ばね１５および１６を備える例を示したが、本発明はこれに限らず、表示画面旋回装置１０が、板状のばねであれば皿ばね以外の板ばねなどを用いてもよい。
【００５９】
また、上記実施形態では、台座１１は板金製であって、台座１１の直立部１１ａおよび１１ｂは台座１１を切り起こすことによって台座１１と一体的に形成される例を示したが、本発明はこれに限らず、台座１１は樹脂製であって、台座１１の直立部１１ａおよび１１ｂは台座１１の樹脂成形時に台座１１と一体的に成形されるように構成してもよい。
【００６０】
また、上記実施形態では、押圧部材１４には、押圧部材１４が回動部材１２と対向する下面１４ｂの所定の領域に、回動部材１２と当接する円形状のリブ１４ｃをプレス加工によって設ける例を示したが、本発明はこれに限らず、押圧部材１４は、押圧部材１４が回動部材１２と対向する下面１４ｂの所定の領域に、回動部材１２と当接する円形状に配置された複数の凸部をプレス加工によって設けるようにしてもよい。
【００６１】
また、上記実施形態では、台座１１の直立部１１ａおよび１１ｂに挿入されるとともに、金属製の皿ばね１５および１６と抜止部材１９および２０との間に配置され、金属製の皿ばね１５および１６より大きな平面積を有する金属製の板部材１７および１８を備える例を示したが、本発明はこれに限らず、台座１１の直立部１１ａおよび１１ｂに挿入されるとともに、金属製の皿ばね１５および１６と抜止部材１９および２０との間に配置され、金属製の皿ばね１５および１６より大きな平面積を有する樹脂製の板部材を備えるようにしてもよい。
【００６２】
また、上記実施形態では、台座１１の直立部１１ａを回動部材１２の回動中心を対称軸（中心線４００）として両側に２箇所設ける例を示したが、本発明はこれに限らず、台座１１の直立部１１ａを回動部材１２の回動中心から等角刻みで３つ以上（たとえば１２０度刻みの場合には３箇所）設けるように構成してもよい。
【図面の簡単な説明】
【００６３】
【図１】本発明の一実施形態による本発明の一実施形態による表示画面旋回装置が設けられた液晶表示装置の全体構成を示した斜視図である。
【図２】図１に示した本発明の一実施形態による液晶表示装置から表示画面部を取り外した状態を示した斜視図である。
【図３】図１に示した本発明の一実施形態による液晶表示装置から表示画面部および表示画面支持機構を取り外した状態を示した表示画面旋回装置の斜視図である。
【図４】図１に示した本発明の一実施形態による表示画面旋回装置の構造を示した分解斜視図である。
【図５】図１に示した本発明の一実施形態による表示画面旋回装置の抜止部材を示した図である。
【図６】図１に示した本発明の一実施形態による表示画面旋回装置の板部材を示した図である。
【図７】図１に示した本発明の一実施形態による表示画面旋回装置の平面図である。
【図８】図７の２００−２００線に沿った断面図である。
【図９】図１に示した本発明の一実施形態による液晶表示装置の表示画面支持機構の構造を示した分解斜視図である。
【図１０】図２の３００−３００線に沿った断面図である。
【図１１】図２に示した本発明の一実施形態による表示画面支持機構の表示画面支持部材の正面図である。
【図１２】図２に示した本発明の一実施形態による表示画面支持機構の垂直支持部材の正面図である。
【図１３】図２に示した本発明の一実施形態による表示画面支持機構の抜止部材を示した図である。
【図１４】図１に示した本発明の一実施形態による表示画面旋回装置の回動動作を説明するための平面図である。
【図１５】図１に示した本発明の一実施形態による表示画面旋回装置の回動動作を説明するための平面図である。
【図１６】図２に示した本発明の一実施形態による表示画面支持機構の回動動作を説明するための断面図である。
【図１７】図２に示した本発明の一実施形態による表示画面支持機構の回動動作を説明するための断面図である。
【図１８】図２に示した本発明の一実施形態による表示画面支持機構の回動動作を説明するための断面図である。
【図１９】図２に示した本発明の一実施形態による表示画面支持機構の回動動作を説明するための断面図である。
【図２０】図２に示した本発明の一実施形態による表示画面支持機構の回動動作を説明するための断面図である。
【符号の説明】
【００６４】
１０  表示画面旋回装置
１１  台座
１１ａ、１１ｂ  直立部
１１ｃ、１１ｄ  孔部
１１ｅ  凸部（第１凸部）
１２    回動部材
１２ｃ  凸部（第２凸部）
１３  押圧部材
１５、１６  皿ばね（板状のばね）
１７、１８  板部材
１９、２０  抜止部材
１９ａ、１９ｂ、２０ａ、２０ｂ  端面部
Ｈ  直交する方向
Ｔ  厚み方向
【図１】
2008051830.tif 000003
【図２】
2008051830.tif 000004
【図３】
2008051830.tif 000005
【図４】
2008051830.tif 000006
【図５】
2008051830.tif 000007
【図６】
2008051830.tif 000008
【図７】
2008051830.tif 000009
【図８】
2008051830.tif 000010
【図９】
2008051830.tif 000011
【図１０】
2008051830.tif 000012
【図１１】
2008051830.tif 000013
【図１２】
2008051830.tif 000014
【図１３】
2008051830.tif 000015
【図１４】
2008051830.tif 000016
【図１５】
2008051830.tif 000017
【図１６】
2008051830.tif 000018
【図１７】
2008051830.tif 000019
【図１８】
2008051830.tif 000020
【図１９】
2008051830.tif 000021
【図２０】
2008051830.tif 000022